(57)【要約】【課題】セルラーモードおよびプライベートワイヤレスネットワークモード間でハンドセットを構成するシステムおよび方法を提供すること。【解決手段】プライベートワイヤレスネットワークモードとセルラーモードとの間においてハンドセットをスイッチ可能に構成するためのスイッチ可能コンフィギュレーションシステムおよび方法が提供される。このスイッチ可能コンフィギュレーションシステムは、ハンドセットをセルラーモードで動作させるように適合されたセルラーモジュールと、ハンドセットをプライベートワイヤレスネットワークモードで動作させるように適合されたプライベートワイヤレスネットワークモジュールと、ハンドセットをどのモードに構成するかを決定するように適合されたコンフィギュレーションモジュールとを含む。【選択図】図１
2007110719.tif 000002
【特許請求の範囲】
【請求項１】
プライベートワイヤレスネットワークモードとセルラーモードとの間においてハンドセットをスイッチ可能に構成するためのスイッチ可能コンフィギュレーションシステムであって、
該ハンドセットを該セルラーモードで動作させるように適合されたセルラーモジュール（１２）と、
該ハンドセットを該プライベートワイヤレスネットワークモードで動作させるように適合されたプライベートワイヤレスネットワークモジュール（１４）と、
該ハンドセットをどのモードに構成するかを決定するように適合されたコンフィギュレーションモジュール（１６）と
を備える、スイッチ可能コンフィギュレーションシステム。
【請求項２】
前記プライベートワイヤレスネットワークがエンタープライズネットワークである、請求項１に記載のスイッチ可能コンフィギュレーションシステム。
【請求項３】
前記コンフィギュレーションモジュール（１６）が、
前記ハンドセットの動作のモードを決定および選択するように適合されたコンフィギュレーション論理ユニット（３２）と、
利用可能なセルラーバンドおよびプライベートワイヤレスネットワークバンドを決定および収集するように適合されたデータ収集ユニット（３４）と、
該データ収集ユニットによって収集されたデータを格納するように適合されたリポジトリ（３６）と
を備える、請求項１または２に記載のスイッチ可能コンフィギュレーションシステム。
【請求項４】
前記コンフィギュレーション論理ユニット（３２）が、前記プライベートワイヤレスネットワークモジュールを、ＷＬＡＮバンドにおいて、
プライベートワイヤレスネットワークとして、または
前記セルラーモジュールの制御下において、
のうちの少なくとも１つの条件下で動作するように構成する、請求項３に記載のスイッチ可能コンフィギュレーションシステム。
【請求項５】
前記プライベートワイヤレスネットワークバンドが、
ワイヤレスローカルエリアネットワークバンドと、
ＩＳＭを含んだ、別の無認可ネットワークバンドまたは非セルラーバンドと、
別の無線技術バンドと
のうちの少なくとも１つである、請求項３に記載のスイッチ可能コンフィギュレーションシステム。
【請求項６】
前記ハンドセットがセルラーネットワークおよびプライベートワイヤレスネットワーク上において同時に動作することと、
該ハンドセットが、該プライベートワイヤレスネットワークまたは該セルラーネットワークの一方のネットワーク上の呼を保留にし、その一方でもう一方のネットワーク上の呼を行うか、受け取るか、再開することと、
該ハンドセットが、該プライベートワイヤレスネットワーク上の呼を、該セルラーネットワーク上の呼を用いて会議通話にすることと
のうちの少なくとも１つである、請求項１〜５のいずれか１項に記載のスイッチ可能コンフィギュレーションシステム。
【請求項７】
請求項１〜６のいずれか１項に記載のスイッチ可能コンフィギュレーションシステムを備えたハンドヘルドワイヤレス装置。
【請求項８】
ハンドヘルド電子装置内における実行に使用するためのコンピュータプログラムプロダクトであって、該ハンドヘルド電子装置は、
データ処理システム上で実行されるアプリケーションプログラムによるアクセスのためのデータを格納するメモリと、
請求項１〜６のいずれか１項に記載のスイッチ可能コンフィギュレーションシステムと
を備える、コンピュータプログラムプロダクト。
【請求項９】
プライベートワイヤレスネットワークモードとセルラーモードとの間においてハンドセットをスイッチ可能に構成する方法であって、
プライベートワイヤレスネットワーク有効範囲が利用可能であるか否かを決定するステップと、
該プライベートワイヤレスネットワーク有効範囲が利用可能であるという決定に応答して、該プライベートワイヤレスネットワークモードを選択するステップと、
該プライベートワイヤレスネットワーク有効範囲が利用可能でないという決定に応答して、該セルラーモードを選択するステップと
を包含する、方法。
【請求項１０】
前記決定するステップが、
ロケーションおよびプライベートワイヤレスネットワーク信号強度をチェックするステップ、
前記ハンドセットがもはやプライベートワイヤレスネットワーク信号を受信していないか否かを決定するステップ；
該ハンドセットがもはや該プライベートワイヤレスネットワーク信号を受信していないという決定に応答して、プライベートワイヤレスネットワークサービスに使用可能な別のプライベートワイヤレスネットワークアクセスポイントをチェックするステップ；
他にプライベートワイヤレスネットワークアクセスポイントがないという決定に応答して、公衆陸上モバイルネットワークにアクセス可能なアクセスポイントがあるか否かを決定するステップ；および
公衆陸上モバイルネットワークアクセスポイントがあるという決定に応答して、該プライベートワイヤレスネットワークトランシーバを該ハンドセットのセルラー部分と関連付けるステップ、ならびに
該プライベートワイヤレスネットワークがエンタープライズネットワークであり、
ロケーションおよびエンタープライズ信号強度をチェックするステップ；および
該ハンドセットがもはやエンタープライズ無線技術信号を受信していないか否かを決定するステップと、
該ハンドセットがもはや該エンタープライズ無線技術信号を受信していないという決定に応答して、エンタープライズサービスに使用可能な別の無線技術アクセスポイントをチェックするステップと、
他に無線技術アクセスポイントがないという決定に応答して、公衆陸上モバイルネットワークにアクセス可能なアクセスポイントがあるか否かを決定するステップと、
公衆陸上モバイルネットワークアクセスポイントがあるという決定に応答して、該無線技術トランシーバを該ハンドセットのセルラー部分と関連付けるステップ；
のうちの少なくとも１つのステップ
のうちの少なくとも１つのステップを包含する、請求項９に記載の方法。
【請求項１１】
前記無線技術が、
ワイヤレスローカルエリアネットワークと、
別の無認可ネットワークバンドまたは非セルラーバンドと
のうちの少なくとも１つである、請求項１０に記載の方法。
【請求項１２】
ワイヤレスローカルエリアネットワークサービスまたはグローバルエリアネットワークサービスと相互接続する私有陸上モバイルネットワークへのアクセスを提供するワイヤレスローカルエリアネットワークアクセスポイントをチェックするステップをさらに包含する、請求項１１に記載の方法。
【請求項１３】
セルラーソフトウェアからのセルグローバル識別をチェックするステップをさらに包含する、請求項１１または１２に記載の方法。
【請求項１４】
前記チェックするステップが、
ゲストローミング特権を提供する別の無線技術キャンパスを検索するステップと、
前記エンタープライズが加入する無線技術アクセスポイントを検索するステップと、
該エンタープライズが低コストサービスを提供する無線技術アクセスポイントを検索するステップと
のうちの少なくとも１つを包含する、請求項１０〜１３のいずれか１項に記載の方法。
【請求項１５】
前記無線技術トランシーバを前記ハンドセットのセルラー部分と関連付けるステップが、
該ハンドセットのセルラー部分を前記モードで再始動するステップと、
該ハンドセットのセルラー部分の再始動なしに、該無線技術トランシーバを該ハンドセットのセルラー部分に関連付けるステップと
のうちの少なくとも１つを包含する、請求項１０〜１４のいずれか１項に記載の方法。
【請求項１６】
前記ロケーションおよび無線技術信号を周期的にチェックするステップと、
セルラー／無線技術プログラムのメモリへの出力をチェックするステップと、
セルラーモードおよびエンタープライズモードへと該ハンドセットを再構成するステップと
をさらに包含する、請求項１０〜１５のいずれか１項に記載の方法。
【請求項１７】
前記ハンドセットがセルラーネットワークおよびプライベートワイヤレスネットワーク上において同時に動作する、請求項９〜１６のいずれか１項に記載の方法。
【請求項１８】
前記プライベートワイヤレスネットワークまたは前記セルラーネットワークの一方のネットワーク上の呼を保留にし、その一方でもう一方のネットワーク上の呼を行うか、受け取るか、再開するステップと、
該プライベートワイヤレスネットワーク上の呼を、該セルラーネットワーク上の呼を用いて会議通話にするステップと
のうちの少なくとも１つをさらに包含する、請求項１７に記載の方法。
【請求項１９】
コンピュータ内における請求項９〜１８のいずれか１項に記載の方法のコンピュータにおける実行に使用するための命令またはステートメントを格納するコンピュータ可読媒体。
【発明の詳細な説明】
【技術分野】
【０００１】
本特許出願書類の開示の一部は、著作権保護の下にあるものを含む。その著作権の保持者は、特許および商標局の特許ファイルまたは記録に表されるように、特許書類または特許開示に関する者による複写に対する異議はないが、そうでない限りにおいては、全著作権は、如何なる場合であっても保護される。
【０００２】
本特許出願書類は、一般的に、通信ネットワークに関連し、より詳細には、セルラーネットワークモードとプライベートネットワークモードとの間のハンドセットコンフィギュレーションのシステムおよび方法に関連する。
【背景技術】
【０００３】
ワイヤレスアクセスネットワークは、多様なテレコミュニケーションネットワーク環境の重要な要素になった。エンタープライズネットワークに関し、それらネットワークは、ポータブルコンピュータおよびモバイルハンドヘルドデバイスを持ち運ぶ労働者にとって、および、同様の装備のゲストまたは一時的な労働者にとって、便利なネットワーク源への便利なアクセスを提供する。それらは、また、設備が移動する、または頻繁に変更されるような環境における物理的なＥｔｈｅｒｎｅｔ（登録商標）のジャックを再配置することに対するコスト効率の良い代替法を提供する。さらに、多様な通信／コンピューティングデバイスと共に動作可能なワイヤレスアクセスポイントは、ホテル、空港、レストラン、およびコーヒーショップのような公共の環境に遍在しつつある。高速インターネットアクセスの増加に伴い、ユーザの家でのアクセスポイントの使用もまた、他のアプリケーションに対して、構想され、開始された。
【０００４】
セルラーおよびＷＬＡＮバンドの両方を含むデュアルモードハンドセットは、ＷＬＡＮを用いるエンタープライズキャンパス上のエンタープライズ動作に対して使用される。しかし、エンタープライズキャンパスから離れる場合、セルラー通信性能が使用される。第３世代パートナーシッププロジェクト（３ＧＰＰ）（セルラー）規格に順応し、３ＧＰＰ順応テストを満たす一方、３ＧＰＰセルラーモードとエンタープライズモードとの間を、手動による介入なく、ＷＬＡＮトランシーバを容易に切り換え可能であることが望ましい。不都合にも、ハンドセットが、セルラーコンフィギュレーションの一部として動いているＷＬＡＮトランシーバを有する場合、そのハンドセットが、「ＷＬＡＮ上のエンタープライズ」コンフィギュレーションに戻る手段はない。セルラー（３ＧＰＰ）仕様は、ハンドセットがエンタープライズキャンパス上に戻る時（または、エンタープライズキャンパスから離れる時）を感知しない。さらに、セルラー（３ＧＰＰ）仕様は、セルラーハンドセットに対して、エンタープライズＷＬＡＮ動作を削除する、またはイネーブルするために、そのコンフィギュレーションを変えることを許可しない。
【０００５】
現在、ＧＳＭファミリー性能、および符号分割多重アクセス（ＣＤＭＡ）ファミリー性能の両方を有するセルラーハンドセットは、１つのコンフィギュレーションにて、または、他のコンフィギュレーション、つまりＧＳＭ関連モードまたはＣＤＭＡ関連モードにて、動作しなければならない。これら２つのモード間における切り換えは、「ナイフスイッチ」プログラムを介して行われ、そのプログラムは、ＧＳＭ（またはＣＤＭＡ）を完全に終了し、次いで、他のＣＤＭＡ（またはＧＳＭ）コンフィギュレーションのハンドセットを再開始する。「ナイフスイッチ」は、記載されるように、単に、１つのまたは他のコンフィギュレーションにハンドセットを設定し得る。それ以上は為されない。エンタープライズＷＬＡＮ有効範囲がない場合における、セルラー上にて動作する端末、エンタープライズＷＬＡＮ上にて動作する端末、およびさらに、セルラーＩ−ＷＬＡＮまたはＧＡＮ上にて動作可能（２つの３ＧＰＰ  ＷＬＡＮ性能）な端末の必要性が存在する。
【発明の開示】
【発明が解決しようとする課題】
【０００６】
本特許出願開示は、上述された１つ以上の課題の解決策を記載する。セルラー性能の一部として構成された任意のワイヤレス技術を用いて動作する一方、デバイスは、ワイヤレスアクセス技術（セルラー）仕様によって必要とされるものを越える追加的な情報を収集し、個別の「ナイフスイッチ」プログラムにアクセス可能な場所にその情報を格納する。ここにおいて、「ナイフスイッチ」プログラムは、２つのコンフィギュレーション、ａ）セルラーとセルラーワイヤレス技術との間、およびｂ）セルラーとプライベートワイヤレスネットワーク技術との間にて、ハンドヘルドを切り換えし得る。
【課題を解決するための手段】
【０００７】
本開示の一実施形態に従って、プライベートワイヤレスネットワークモードとセルラーモードとの間においてハンドセットをスイッチ可能に構成するためのスイッチ可能コンフィギュレーションシステムが好適に提供される。このスイッチ可能コンフィギュレーションシステムは、ハンドセットをセルラーモードで動作させるように適合されたセルラーモジュールと、ハンドセットをプライベートワイヤレスネットワークモードで動作させるように適合されたプライベートワイヤレスネットワークモジュールと、ハンドセットをどのモードに構成するかを決定するように適合されたコンフィギュレーションモジュールとを備える。
【０００８】
本開示の一実施形態に従って、プライベートワイヤレスネットワークモードとセルラーモードとの間においてハンドセットをスイッチ可能に構成するためのスイッチ可能コンフィギュレーションシステムを備えたハンドヘルド電子装置が好適に提供される。このスイッチ可能コンフィギュレーションシステムは、ハンドセットをセルラーモードで動作させるように適合されたセルラーモジュールと、ハンドセットをプライベートワイヤレスネットワークモードで動作させるように適合されたプライベートワイヤレスネットワークモジュールと、ハンドセットをどのモードに構成するかを決定するように適合されたコンフィギュレーションモジュールとを備える。
【０００９】
本開示の一実施形態に従って、ハンドヘルド電子装置内における実行に使用するためのコンピュータプログラムプロダクトが好適に提供される。このハンドヘルド電子装置は、データ処理システム上で実行されるアプリケーションプログラムによるアクセスのためのデータを格納するメモリと、プライベートワイヤレスネットワークモードとセルラーモードとの間においてハンドセットをスイッチ可能に構成するためのスイッチ可能コンフィギュレーションシステムとを備える。このスイッチ可能コンフィギュレーションシステムは、ハンドセットをセルラーモードで動作させるように適合されたセルラーモジュールと、ハンドセットをプライベートワイヤレスネットワークモードで動作させるように適合されたプライベートワイヤレスネットワークモジュールと、ハンドセットをどのモードに構成するかを決定するように適合されたコンフィギュレーションモジュールとを備える。
【００１０】
本開示の一実施形態に従って、プライベートワイヤレスネットワークモードとセルラーモードとの間においてハンドセットをスイッチ可能に構成する方法が好適に提供される。この方法は、プライベートワイヤレスネットワーク有効範囲が利用可能であるか否かを決定するステップと、プライベートワイヤレスネットワーク有効範囲が利用可能であるという決定に応答して、プライベートワイヤレスネットワークモードを選択するステップと、プライベートワイヤレスネットワーク有効範囲が利用可能でないという決定に応答して、セルラーモードを選択するステップとを含む。
【００１１】
本開示の一実施形態に従って、コンピュータ内において、プライベートワイヤレスネットワークモードとセルラーモードとの間においてハンドセットをスイッチ可能に構成する方法の実行に使用するための命令またはステートメントを格納するコンピュータ可読媒体が好適に提供される。この方法は、プライベートワイヤレスネットワーク有効範囲が利用可能であるか否かを決定するステップと、利用可能である場合、プライベートワイヤレスネットワーク有効範囲が利用可能であるか否かの決定に応答して、プライベートワイヤレスネットワークモードを選択するステップと、プライベートワイヤレスネットワーク有効範囲が利用可能でない場合、プライベートワイヤレスネットワーク有効範囲が利用可能でないか否かの決定に応答して、セルラーモードを選択するステップとを含む。
【００１２】
本発明はさらに、以下の手段を提供する。
（項目１）
プライベートワイヤレスネットワークモードとセルラーモードとの間においてハンドセットをスイッチ可能に構成するためのスイッチ可能コンフィギュレーションシステムであって、
該ハンドセットを該セルラーモードで動作させるように適合されたセルラーモジュール（１２）と、
該ハンドセットを該プライベートワイヤレスネットワークモードで動作させるように適合されたプライベートワイヤレスネットワークモジュール（１４）と、
該ハンドセットをどのモードに構成するかを決定するように適合されたコンフィギュレーションモジュール（１６）と
を備える、スイッチ可能コンフィギュレーションシステム。
（項目２）
上記プライベートワイヤレスネットワークがエンタープライズネットワークである、項目１に記載のスイッチ可能コンフィギュレーションシステム。
（項目３）
上記コンフィギュレーションモジュール（１６）が、
上記ハンドセットの動作のモードを決定および選択するように適合されたコンフィギュレーション論理ユニット（３２）と、
利用可能なセルラーバンドおよびプライベートワイヤレスネットワークバンドを決定および収集するように適合されたデータ収集ユニット（３４）と、
該データ収集ユニットによって収集されたデータを格納するように適合されたリポジトリ（３６）と
を備える、項目１または２に記載のスイッチ可能コンフィギュレーションシステム。
（項目４）
上記コンフィギュレーション論理ユニット（３２）が、上記プライベートワイヤレスネットワークモジュールを、ＷＬＡＮバンドにおいて、
プライベートワイヤレスネットワークとして、または
上記セルラーモジュールの制御下において、
のうちの少なくとも１つの条件下で動作するように構成する、項目３に記載のスイッチ可能コンフィギュレーションシステム。
（項目５）
上記プライベートワイヤレスネットワークバンドが、
ワイヤレスローカルエリアネットワークバンドと、
ＩＳＭを含んだ、別の無認可ネットワークバンドまたは非セルラーバンドと、
別の無線技術バンドと
のうちの少なくとも１つである、項目３に記載のスイッチ可能コンフィギュレーションシステム。
（項目６）
上記ハンドセットがセルラーネットワークおよびプライベートワイヤレスネットワーク上において同時に動作することと、
該ハンドセットが、該プライベートワイヤレスネットワークまたは該セルラーネットワークの一方のネットワーク上の呼を保留にし、その一方でもう一方のネットワーク上の呼を行うか、受け取るか、再開することと、
該ハンドセットが、該プライベートワイヤレスネットワーク上の呼を、該セルラーネットワーク上の呼を用いて会議通話にすることと
のうちの少なくとも１つである、項目１〜５のいずれか１項に記載のスイッチ可能コンフィギュレーションシステム。
（項目７）
項目１〜６のいずれか１項に記載のスイッチ可能コンフィギュレーションシステムを備えたハンドヘルドワイヤレス装置。
（項目８）
ハンドヘルド電子装置内における実行に使用するためのコンピュータプログラムプロダクトであって、該ハンドヘルド電子装置は、
データ処理システム上で実行されるアプリケーションプログラムによるアクセスのためのデータを格納するメモリと、
項目１〜６のいずれか１項に記載のスイッチ可能コンフィギュレーションシステムと
を備える、コンピュータプログラムプロダクト。
（項目９）
プライベートワイヤレスネットワークモードとセルラーモードとの間においてハンドセットをスイッチ可能に構成する方法であって、
プライベートワイヤレスネットワーク有効範囲が利用可能であるか否かを決定するステップと、
該プライベートワイヤレスネットワーク有効範囲が利用可能であるという決定に応答して、該プライベートワイヤレスネットワークモードを選択するステップと、
該プライベートワイヤレスネットワーク有効範囲が利用可能でないという決定に応答して、該セルラーモードを選択するステップと
を包含する、方法。
（項目１０）
上記決定するステップが、
ロケーションおよびプライベートワイヤレスネットワーク信号強度をチェックするステップ、
上記ハンドセットがもはやプライベートワイヤレスネットワーク信号を受信していないか否かを決定するステップ；
該ハンドセットがもはや該プライベートワイヤレスネットワーク信号を受信していないという決定に応答して、プライベートワイヤレスネットワークサービスに使用可能な別のプライベートワイヤレスネットワークアクセスポイントをチェックするステップ；
他にプライベートワイヤレスネットワークアクセスポイントがないという決定に応答して、公衆陸上モバイルネットワークにアクセス可能なアクセスポイントがあるか否かを決定するステップ；および
公衆陸上モバイルネットワークアクセスポイントがあるという決定に応答して、該プライベートワイヤレスネットワークトランシーバを該ハンドセットのセルラー部分と関連付けるステップ、ならびに
該プライベートワイヤレスネットワークがエンタープライズネットワークであり、
ロケーションおよびエンタープライズ信号強度をチェックするステップ；および
該ハンドセットがもはやエンタープライズ無線技術信号を受信していないか否かを決定するステップと、
該ハンドセットがもはや該エンタープライズ無線技術信号を受信していないという決定に応答して、エンタープライズサービスに使用可能な別の無線技術アクセスポイントをチェックするステップと、
他に無線技術アクセスポイントがないという決定に応答して、公衆陸上モバイルネットワークにアクセス可能なアクセスポイントがあるか否かを決定するステップと、
公衆陸上モバイルネットワークアクセスポイントがあるという決定に応答して、該無線技術トランシーバを該ハンドセットのセルラー部分と関連付けるステップ；
のうちの少なくとも１つのステップ
のうちの少なくとも１つのステップを包含する、項目９に記載の方法。
（項目１１）
上記無線技術が、
ワイヤレスローカルエリアネットワークと、
別の無認可ネットワークバンドまたは非セルラーバンドと
のうちの少なくとも１つである、項目１０に記載の方法。
（項目１２）
ワイヤレスローカルエリアネットワークサービスまたはグローバルエリアネットワークサービスと相互接続する私有陸上モバイルネットワークへのアクセスを提供するワイヤレスローカルエリアネットワークアクセスポイントをチェックするステップをさらに包含する、項目１１に記載の方法。
（項目１３）
セルラーソフトウェアからのセルグローバル識別をチェックするステップをさらに包含する、項目１１または１２に記載の方法。
（項目１４）
上記チェックするステップが、
ゲストローミング特権を提供する別の無線技術キャンパスを検索するステップと、
上記エンタープライズが加入する無線技術アクセスポイントを検索するステップと、
該エンタープライズが低コストサービスを提供する無線技術アクセスポイントを検索するステップと
のうちの少なくとも１つを包含する、項目１０〜１３のいずれか１項に記載の方法。
（項目１５）
上記無線技術トランシーバを上記ハンドセットのセルラー部分と関連付けるステップが、
該ハンドセットのセルラー部分を上記モードで再始動するステップと、
該ハンドセットのセルラー部分の再始動なしに、該無線技術トランシーバを該ハンドセットのセルラー部分に関連付けるステップと
のうちの少なくとも１つを包含する、項目１０〜１４のいずれか１項に記載の方法。
（項目１６）
上記ロケーションおよび無線技術信号を周期的にチェックするステップと、
セルラー／無線技術プログラムのメモリへの出力をチェックするステップと、
セルラーモードおよびエンタープライズモードへと該ハンドセットを再構成するステップと
をさらに包含する、項目１０〜１５のいずれか１項に記載の方法。
（項目１７）
上記ハンドセットがセルラーネットワークおよびプライベートワイヤレスネットワーク上において同時に動作する、項目９〜１６のいずれか１項に記載の方法。
（項目１８）
上記プライベートワイヤレスネットワークまたは上記セルラーネットワークの一方のネットワーク上の呼を保留にし、その一方でもう一方のネットワーク上の呼を行うか、受け取るか、再開するステップと、
該プライベートワイヤレスネットワーク上の呼を、該セルラーネットワーク上の呼を用いて会議通話にするステップと
のうちの少なくとも１つをさらに包含する、項目１７に記載の方法。
（項目１９）
コンピュータ内における項目９〜１８のいずれか１項に記載の方法のコンピュータにおける実行に使用するための命令またはステートメントを格納するコンピュータ可読媒体。
【発明の効果】
【００１３】
本発明により、セルラー性能の一部として構成された任意のワイヤレス技術を用いて動作する一方、ワイヤレスアクセス技術（セルラー）仕様によって必要とされるものを越える追加的な情報を収集し、個別の「ナイフスイッチ」プログラムにアクセス可能な場所にその情報を格納し得るデバイスが提供され得る。
【発明を実施するための最良の形態】
【００１４】
本特許開示内容の一実施形態は、以下の図面を参照してのみ例示的に説明される。
【００１５】
特許開示内容のシステムおよび方法は、どのようにして実施形態が最も良く作成および使用され得るかについての様々な実施例を参照して説明される。便利性のために、同一の参照番号は、同一または対応する部分を示すために説明およびいくつかの図面に亘って使用される。ここにおいて、様々な要素は、必ずしも縮図されていない。
【００１６】
複数のモードを有するものも含む単一のコンフィギュレーションハンドセットは、関連する仕様の単一のセットによって管理されるため、かなり良く規定される。したがって、モバイル通信のためのグローバルシステム（ＧＳＭ）、ジェネラルパケット無線サービス（ＧＰＲＳ）、ＧＳＭ評価のための拡張データ率（ＥＤＧＥ）、ユニバーサルモバイル遠距離通信システム（ＵＭＴＳ）、ならびにインタワーキングＷ  ＬＡＮ（Ｉ−ＷＬＡＮ）およびジェネリックアクセスネットワーク（ＧＡＮ）のようなワイヤレスローカルエリアネットワーク（ＷＬＡＮ）能力さえも用いるセルラーハンドセットは、３ＧＰＰセットの仕様によって完全に管理される。
【００１７】
図１は、本特許開示内容の一実施形態に従って、プライベートワイヤレスネットワークおよびセルラーモードの間においてハンドセットをスイッチ可能に構成するためのスイッチ可能コンフィギュレーションシステム１０の実施例を示す。スイッチ可能コンフィギュレーションシステム１０は、ハンドセットをセルラーモードで動作させるためのセルラーモジュール１２、ハンドセットをプライベートワイヤレスネットワークモードで動作させるためのエンタープライズプライベートワイヤレスネットワークモジュール１４、およびハンドセットをどのモードに構成するかを決定するためのコンフィギュレーションモジュール１６を含む。
【００１８】
コンフィギュレーションモジュール１６は、セルラーモジュール１２およびプライベートワイヤレスネットワークモジュール１４の両方と通信する。コンフィギュレーションモジュール１６は、どのバンドがハンドセットのユーザに利用可能かを決定する。プライベートワイヤレスネットワーク（エンタープライズＷＬＡＮのような）有効範囲が利用可能であった場合、コンフィギュレーションモジュール１６は、プライベートワイヤレスネットワークモジュール１４をハンドセットの動作のモードとして選択する。プライベートワイヤレスネットワーク（エンタープライズＷＬＡＮのような）有効範囲が利用不可能であった場合、コンフィギュレーションモジュール１６は、セルラーモジュール１２をハンドセットの動作のモードとして選択する。スイッチ可能コンフィギュレーションシステム１０は、ハンドセットのようなユーザ装備装置に実施され得る。
【００１９】
図２は、スイッチ可能コンフィギュレーションシステムの一実施形態に従って、プライベートワイヤレスネットワークとセルラーモードとの間におけるハンドセットをスイッチ可能に構成する方法（２０）の例をフローチャートにおいて示す。方法（２０）は、プライベートワイヤレスネットワーク（エンタープライズ有効範囲のような）が利用可能（２２）であるか否かを決定することから始まる。プライベートワイヤレスネットワーク（エンタープライズのような）有効範囲が利用可能（２２）である場合（例えば、能動または受動スキャニングによって既知のＳＳＩＤを見い出すことによって）、プライベートワイヤレスネットワークモードが、ハンドセットの動作モードとして選択される（２４）。選択されない場合（２２）、セルラーモードが、ハンドセットの動作モードとして選択される（２６）。ステップ（２２）は、ハンドセットが動作中の間、周期的に繰り返される。他のステップは、その方法に追加され得る。
【００２０】
有利にも、スイッチ可能コンフィギュレーションシステムおよび方法は、ローミング特権を有し得るプライベートワイヤレスネットワークキャンパス（単数または複数）および他のキャンパス（単数または複数）の両方においてプライベートワイヤレスネットワークユーザが使用するスイッチ可能に構成可能なハンドセットを、プライベートワイヤレスネットワークユーザに対して便利かつ非常に有用性のあるものにする。
【００２１】
以下の説明において、セルラーおよびプライベートワイヤレスネットワークモードの間のハンドセットコンフィギュレーションのシステム１０および方法（２０）の局面は、エンタープライズをプライベートワイヤレスネットワークの例として使用し、説明される。更に、ＧＡＮ、ＷＬＡＮ、およびＩ−ＷＬＡＮのような特定のワイヤレス技術の参照は、例として示される。Ｗｉ−Ｍａｘ、Ｗｉ−Ｆｉ、およびその他のような他のワイヤレス技術も、適合され得る。更に、３ＧＰＰなどのような特定のワイヤレスアクセス技術に対する参照は、例示のためのみである。Ｗｉ−Ｍａｘ、Ｗｉ−Ｆｉ、ＢＲＡＮ、Ｂｌｕｅｔｏｏｔｈおよびその他のような他のワイヤレス技術も、適合され得る。更に、セルラーエンタープライズハンドセットに対する特定の参照は、セルラーまたはプライベートワイヤレスネットワーク通信において使用されるハンドセットの例である。
【００２２】
スイッチ可能コンフィギュレーションシステムは、セルラー仕様に順応する一方、かつハンドセットを順応テストにうまく通過することをイネーブルさせる一方、セルラーエンタープライズハンドセットの動作を強化するためのいくつかの機能を使用する。有利的に、これらの機能および強化は、ローミング特権を有し得るエンタープライズキャンパス（単数または複数）および他のキャンパス（単数または複数）の両方においてエンタープライズの人々（すなわち、プライベートワイヤレスネットワークユーザ）が使用するハンドセットを、エンタープライズの人々に対して実行可能および非常に有用にする。ＰＣ内にてセルラーＰＣカードを使用することは、ＰＣソフトウェアプログラムがセルラーシステムについての情報を得、その情報に基づいてアクションを実行することをイネーブルさせる。
【００２３】
図３は、スイッチ可能コンフィギュレーションシステムの一実施形態に従って、セルラーエンタープライズハンドセットをどのモードに構成するかを決定するためのコンフィギュレーションモジュール１６の実施例を、機能的ブロック図において示す。コンフィギュレーションモジュール１６は、セルラーエンタープライズハンドセットの動作のモードを決定および選択するためのコンフィギュレーション論理ユニット３２、利用可能なセルラーおよびエンタープライズＷＬＡＮバンドを収集することを決定するためのデータ収集ユニット３４およびデータ収集ユニット３４によって収集されたデータを格納するためのレポジトリ３６を含む。他のユニットは、コンフィギュレーションモジュール１６に追加され得る。コンフィギュレーションモジュール１６は、セルラーエンタープライズ（プライベートワイヤレスネットワーク）ハンドセットのようなユーザ装備装置において実施され得る。
【００２４】
コンフィギュレーションモジュール１６によって提供される性能は、単純に手動にて制御された「ナイフスイッチ」の代わりに、増強された高レベルコンフィギュレーション制御プログラム（すなわち、コンフィギュレーション論理ユニット３２）またはＥＨＣＣＰ（セルラーカードモジュールを用いるＰＣにおけるＰＣプログラムに類似する）を含む。その性能は、ＷＬＡＮがハンドセットのセルラー部分によって制御される間、セルラーおよびＷＬＡＮネットワークにおける情報を取得し、その情報を増強された高レベルコンフィギュレーション制御プログラム３２にアクセス可能になるように格納する能力を有するデータ収集モジュール３４をも含む。更に、性能は、Ａ−ＧＰＳ（補助ＧＰＳ）のような他の位置情報を取得する能力を有するデータ収集モジュール３４を含む。しかしながら、ハンドセットがキャンパス（すなわち、エンタープライズまたはそれと同様な）ＷＬＡＮ有効範囲がない場所で動作する場合、ＷＬＡＮトランシーバは、コンフィギュレーション設定によって、ハンドセットのセルラー部分によって制御され得る。
【００２５】
図４は、スイッチ可能コンフィギュレーションシステムの一実施形態に従って、ハンドセットの２つの構成を示す。セルラーおよびプライベートワイヤレスネットワーク（例えば、エンタープライズ）独立コンフィギュレーション４２は、セルラー４４およびプライベートワイヤレスネットワーク（例えば、エンタープライズ）４６  ＷＬＡＮを独立して動作する。セルラー制御ＷＬＡＮコンフィギュレーション４８は、エンタープライズ有効範囲性能を有さない。好ましくは、コンフィギュレーション４８におけるプライベートワイヤレスネットワーク（ＷＬＡＮまたはその他）は、Ｉ−ＷＬＡＮまたはＧＡＮプロトコルを使用して（ＧＳＭネットワークに対して）セルラーネットワークの一部として動作する。図５は、スイッチ可能コンフィギュレーションシステムの一実施形態に従って、損失および復元（ｒｅｓｔｏｒａｔｉｏｎ）プライベートワイヤレスネットワーク（例えば、エンタープライズ）有効範囲サイクル５０を示す。エンタープライズ有効範囲の損失５２および復元５４は、ロケーションおよび他のデータを周期的にチェックする背景ＥＨＣＣＰプログラム（またはコンフィギュレーション論理ユニット３２）によって決定される。
【００２６】
図６は、スイッチ可能コンフィギュレーションシステムの一実施形態に従って、プライベートワイヤレスネットワーク（例えば、エンタープライズ）およびセルラーモードの間にハンドセットをスイッチ可能に構成する方法の他の例を、フローチャートにおいて示す。この例において、ＷＬＡＮは、エンタープライズ（すなわち、プライベートワイヤレスネットワーク）バンドの例として使用される。他のバンドは、プライベートワイヤレスネットワークのために使用され得る。ハンドセットがセルラーおよびエンタープライズ（ＷＬＡＮはエンタープライズのために使用される）において動作する（２２）一方、ＥＨＣＣＰ３２は、ハンドセット動作のエンタープライズ部分の一部として機能する（６２）。ＥＨＣＣＰ（またはコンフィギュレーションユニット）３２は、ロケーションおよびエンタープライズＷＬＡＮ信号強度をチェックする（６４）。ハンドセットがもはやエンタープライズＷＬＡＮ信号を受信しておらず（６６）（能動または受動スキャニング既知エンタープライズＳＳＩＤを介してもはや検出できないことを含む）、エンタープライズキャンパスの外にいる場合、ＥＨＣＣＰは、エンタープライズサービスのために使用され得る他のＷＬＡＮアクセスポイント（ＡＰ）、ＰＬＭＮ  Ｉ−ＷＬＡＮまたはＧＡＮサービスへのアクセスを提供するＷＬＡＮ  ＡＰ、ならびにワイヤレス装置のセルラー部分４４からのロケーション情報をも提供するセルラーネットワーク（ＰＬＭＮ）信号およびセル識別（ＣＧＩ）をチェックする（６８）。エンタープライズサービスのために使用され得る他のＷＬＡＮアクセスポイント（ＡＰ）は、「ゲスト」ローミング特権を提供する他のＷＬＡＮキャンパス（単数または複数）（例えば、一実施において、ＳＳＩＤは、リムーバブルまたはノンリムーバブルメモリのどちらかのワイヤレス装置に格納される）、およびエンタープライズが加入し得かつ低コストサービスを提供するＷＬＡＮ「ホットスポット」（またはアクセスポイント）（例えば、一実施において、ＳＳＩＤは、ワイヤレス装置に格納される）を含む。ゲストローミング特権は、ユーザがエンタープライズネットワークを有する企業を訪問する状況を含む。訪問先の企業は、訪問先の企業のＷＬＡＮにおける訪問者のワイヤレス装置の使用を可能にして、訪問者のために「ゲスト」ログオンを提供できる。
【００２７】
ＰＬＭＮにアクセスすることが可能で得るＡＰはあるが、エンタープライズまたは他の低コストＡＰが存在しない（２２）場合、ＥＨＣＣＰは、設定によって、ＷＬＡＮトランシーバをハンドセットのセルラー部分に関連付け得る（７０）。これは、そのようなモード（セルラー仕様に対して全くインパクトがない「ブルートフォース（ｂｒｕｔｅ  ｆｏｒｃｅ）」アプローチ）におけるハンドセットのセルラー部分を再始動することによって、またはハンドセットのセルラー部分を再始動させずにＷＬＡＮをハンドセットのセルラー部分に関連付けること（より困難タスク）によって行われ得る。
【００２８】
図６に示される方法は、ＷＬＡＮまたは他のプライベートワイヤレス通信モジュールを
セルラー制御に瞬時に関連付けるよりもむしろ、プライベートワイヤレスネットワーク信号が失われた後、ある期間の間セルラー＋エンタープライズモードに残るというオプションを用いて修正され得る（例えば、図４に示されるように、参照番号４８に瞬時に変化させるよりもむしろ、４２のハンドセットコンフィギュレーションを保つ）。これは、ハンドセットがあまり頻繁にモードを変更しないように、キャンパスが一部の領域において「スポッティ（ｓｐｏｔｔｙ）」な有効範囲を有する場合、最適になり得る。同様に、ロケーション情報、Ａ−ＧＰＳまたはセルラー信号が引き出された場合、または他が利用可能であった場合、これは、ハンドセットがエンタープライズキャンパスからある程度の距離離れるまで、セルラー＋エンタープライズモードを保つために使用され得る。
【００２９】
ＷＬＡＮトランシーバがセルラーハンドセットの一部として一度動作すると（７０）、ＥＨＣＣＰは、この設定によると、ロケーションおよびＷＬＡＮ信号を周期的にチェックする（７２）。エンタープライズ（もしくはゲストまたは他のエンタープライズに受入可能なもの）ＷＬＡＮ有効範囲が、セルラー／ＷＬＡＮプログラムのメモリへの出力をチェックするＥＨＣＣＰによって感知された（７４）場合、ハンドセットをセルラー＋エンタープライズに再構成され、ＥＨＣＣＰは、ＷＬＡＮトランシーバがエンタープライズプログラムによって制御されている。
【００３０】
ハンドセットがエンタープライズ（もしくはゲストまたは他の受入可能なもの）ＷＬＡＮ有効範囲内にある場合、ハンドセットは、セルラー＋エンタープライズコンフィギュレーションにおいて残る。エンタープライズ有効範囲が失われた場合、エンタープライズプログラムはＥＨＣＣＰをシグナリングし（好ましいアプローチ）、またはＥＨＣＣＰは、エンタープライズソフトウェアによって格納された有効範囲信号情報の周期的チェックによって、エンタープライズＷＬＡＮ有効範囲の損失を決定する。
【００３１】
好ましくは、ＥＨＣＣＰがセルラーソフトウェアから引き離される。ＥＨＣＣＰは、セルラー性能が、ＰＣにプラグされる個別のハードウェアモジュール内にて含まれる場合のＰＣプログラムと同様に動作する。つまり、ＥＨＣＣＰは、個別のプロセッサモジュール上にある、または、マルチプログラム可能なプロセッサ上の個別のプログラムであるかのいずれかである。ＥＨＣＣＰは、異なった間隔において、位置および有効範囲情報をチェックするように設定可能であり、その設定に依存し、特定のコンフィギュレーションをイネーブルまたはディセーブルする。
【００３２】
（モバイルがネットワークの一つからの呼を有する場合の動作）
（セルラーまたはプライベートワイヤレスネットワーク）
セルラー（ＧＳＭ）接続がアクティブである場合、その動作は、セルラー側にて呼はないが、プライベートワイヤレスネットワークは呼を有するという状況と類似する。
【００３３】
ＧＳＭ動作において、呼の保留および会議通話は特定される。それにはネットワークが用いられ、ＰＬＭＮとモバイル局との間のセルラーチャネル上に適切なボイスコール信号が提供される。呼の保留が使用される場合、ネットワークは、呼を保留にし、ユーザからの命令がある場合は、その呼を回復する、または、保留にある呼を切断する。単一のセルラーボイストラフィックチャネルのみが存在する。ユーザは、第２の呼がかけられ得るように呼を保留にすべきであり、第１の呼が保留の間、ネットワークは、他の呼を設定する操作を行う。
【００３４】
モバイルのサービスを受けている者が、呼を保留にし、アクティブな呼に接続されていない場合、ユーザは、１）保留にされている呼を回復する、２）他の呼を設定する、または、３）保留にされている呼を切断する。そのネットワークの性能および仕様によって、ユーザは、アクティブな呼を保留にし、そのネットワークからの他の入ってくる呼を受け付け得る。
【００３５】
モバイルのサービスを受けている者が、アクティブの呼に接続され、他の呼が保留にある場合、ユーザは、１）その呼と他の呼を交互に話す、２）それら２つの呼で会議する、３）アクティブの呼を切断する、４）保留にある呼を切断する、または、５）両方の呼を切断する、ことが可能である。これは、ユーザ信号（ハンドセットからのコマンド）に応答し、ネットワークによって為される。
【００３６】
セルラー動作は、それがＧＳＭベース、ＣＤＭＡベース、または他のものであろうが、適切な仕様によって精密に定められている。呼がプライベートワイヤレスネットワークの呼である場合、動作は、その動作に適応した仕様に従う。単一のシステム、セルラー、または、プライベートワイヤレスのみが、関わる。
【００３７】
（セルラーおよびプライベートワイヤレスネットワークの両方のネットワーク上の呼の動作）
２つ（セルラーおよびプライベートワイヤレス）のボイスチャネルおよびそれに関する信号の特徴は、異なる。さらに、それらの２つのネットワークは、直接のネットワークツーネットワークの接続性を有さない（または、少なくとも、それを有する必要はない）。
【００３８】
単一のマイクロフォンおよびスピーカを用いて、セルラーネットワークＣ上において保留にある呼を有するユーザは、その保留にあるセルラー呼の回復、他の呼の設定、または保留にある呼の切断が可能である。他の呼を設定する場合、ユーザは、セルラーネットワーク上またはプライベートワイヤレスネットワーク上において他の呼を設定できる。セルラーネットワーク上における他の呼の設定は、セルラーネットワークに対して特定されたシグナリングを用いる。プライベートワイヤレスネットワーク上における他の呼の設定は、プライベートワイヤレスネットワークに対して特定されたシグナリングを用いる。高レベル機能ＥＨＣＣＰは、ユーザが、どのネットワーク上に他の呼を設定するかを選択することを可能にする。
【００３９】
新しい呼が、他のネットワーク上（例えば、プライベートワイヤレスネットワーク上）に設定される場合、保留にある呼を有するセルラーネットワークは、関与しない。ユーザは、高レベル機能（ＥＨＣＣＰ）を介して、新しい呼が為されるべきネットワークを選択する。新しい呼が、他のネットワーク上にある場合、シグナリングは、そのネットワーク接続上にて為され、そのネットワークに対して特定された制御手順が用いられる。
【００４０】
２つの呼の間における繰り返しの切り換え（例えば、１つの呼を保留にし、もう１つの呼を回復すること）は、適切なネットワークに対するハンドセット制御を介しての保留および回復コマンドを行うために高レベル（ＥＨＣＣＰ）を伴う。
【００４１】
セルラーネットワーク上において２つ以上の呼を有することは、可能である（プライベートワイヤレスネットワーク上において、２つ以上の呼を有することも、可能であり得る）。セルラーネットワーク上に２つ以上の呼、かつ、プライベートワイヤレスネットワーク上に１つの呼がある状態（または、逆も同様）において、ユーザの制御はより複雑にはなるが、不可能ではない。ＥＨＣＣＰ機能は、呼の保留および回復を単純化することを可能にし、それによって、（一度、呼が設定されると）ユーザにとって、１つのセルラーネットワーク上または１つのプライベートワイヤレスネットワーク上にて全ての呼を有する場合に比べて複雑性がない。
【００４２】
ＥＨＣＣＰは、ハンドセットのセルラー部分、およびネットワークのプライベートワイヤレス部分の両方の呼制御機能に干渉する。２つのネットワークのシグナリングは、ほぼ確実に異なる。プライベートワイヤレスネットワークは、しばし、Ｓｅｓｓｉｏｎ  Ｉｎｉｔｉａｔｉｏｎ  Ｐｒｏｔｏｃｏｌ（ＳＩＰ）を使用する。
【００４３】
（２つのネットワーク上の呼の会議）
（セルラーおよびプライベートワイヤレス）
会議は、ハンドセットにおいて組み合わされた信号を用いて、同時に２つのネットワーク接続の動作を介して為され得る。
【００４４】
ハンドセットの２つのボコーダの同時の動作が用いられる。ここにおいて、１つはセルラーネットワークに対してであり、１つはプライベートワイヤレスネットワークに対してである。使用されている２つのボコーダによって、スピーチ劣化（品質およびわかりやすさの低下）が起こり得る。
【００４５】
（コントロールおよびポリシー）
呼の保留および呼の会議の動作において、各ネットワーク（セルラーおよびプライベートネットワーク）の限界はまた、ハンドセットに対する限界でもある。更なる限定は、例えば、プライベートワイヤレスネットワークを動作するエンタープライズの情報技術（ＩＴ）グループによって、ポリシーコントロールを介してハンドセットにおいて為され得る。
【００４６】
（デュアルモードエンタープライズ（つまり、プライベートワイヤレスネットワーク）ハンドセットのコンフィギュレーションの実施例）
１．エンタープライズ
図８は、切り換え可能コンフィギュレーションシステムの実施形態に従う、デュアルネットワーク環境の実施例を示す。ＵＥ１０２は、セルラーネットワーク４４またはプライベートワイヤレスネットワーク４６にアクセスし得る。
【００４７】
ハンドセットのＷＬＡＮトランシーバは、エンタープライズキャンパスＷＬＡＮネットワークを用いて動作する。ハンドセットのセルラートランシーバは、ＰＬＭＮ（つまり、セルラーネットワーク）を用いて動作する。これら両方は、同時に動作するが、一度に１つのみがマイクロフォンおよびスピーカにアクセスし得、ワイヤレスの呼は、エンタープライズネットワーク上またはセルラーネットワーク上にあり得る。
【００４８】
同時のエンタープライズおよびセルラーの呼は、会議を、または、呼の内の１つの呼を「保留」にすることを、伴う。エンタープライズおよびセルラーのプロトコルおよび動作は、それぞれ、対応する仕様によって決定される。ハンドセットのセルラーおよびプライベートワイヤレスネットワーク構成要素のこの同時の動作は、１つのネットワーク上にある呼が、他のネットワーク上にある呼と会議をすること（ハンドセットによって回復されること、またはハンドセットから始まること）を可能にする。
【００４９】
２．Ｉ−ＷＬＡＮまたはＧＡＮを用いるセルラー
ハンドセットのＷＬＡＮトランシーバは、セルラートランシーバによって制御され、Ｉ−ＷＬＡＮまたはＧＡＮモードのいずれかにおいて動作する。３ＧＰＰ仕様によって決定される。ハンドセットのセルラートランシーバは、ＰＬＭＮ（つまり、セルラーネットワーク）を用いて動作する。ＷＬＡＮがＡＰに気付く場合、ＷＬＡＮは、セルラー（３ＧＰＰ仕様）が必要とする情報の収集に加え、そのＡＰが、エンタープライズキャンパスＡＰ、ゲスト可能（ｇｕｅｓｔ−ｃａｐａｂｌｅ）ＡＰ、または、「エンタープライズ動作」に対して関心のある他のＡＰであるかどうかを決定するために十分な情報を収集する。ＥＨＣＣＰが解る位置にこの特別な情報を書き込むが、ＧＡＮもしくはＩ−ＷＬＡＮソフトウェア、またはシステムは、この特別な情報を用いはしない。
【００５０】
ＷＬＡＮトランシーバがセルラートランシーバによって制御されるため、エンタープライズ性能はなく、ハンドセットのセルラー制御機能は、それが、任意のＷＬＡＮ信号からエンタープライズキャンパスに戻ったことを察知し得ない。セルラー（３ＧＰＰ）仕様は、３ＧＰＰの範囲外としてエンタープライズ動作をみなす。しかし、地理的な位置情報（Ａ−ＧＰＳ、またはセルラーＣＧＩ）が使用され得、それによって、ハンドセットがプライベートワイヤレスネットワーク（エンタープライズキャンパス）の有効範囲にあること、またはその有効範囲の近接にあること、がコンフィギュレーションモジュールに示される。
【００５１】
図８は、スイッチ可能コンフィギュレーションシステムの一実施形態が実施され得る例示的な一般化ネットワーク環境１００を示す。ハンドセットまたはユーザ装備（ＵＥ）装置１０２は、任意のポータブルコンピュータ（例えば、ラプトップ、パームトップ、またはハンドヘルド計算装置）、または、モバイル通信装置（例えば、セル式電話またはメッセージの送受信およびウェブブラウジングなどが可能なデータイネーブルハンドヘルド装置）または、電子メール、ビデオメール、インターネットアクセス、エンタープライズデータアクセス、メッセージング、カレンダー、スケジュール、情報管理などが可能で好適には一つ以上の動作モードにおいて動作可能である任意の高機能携帯情報端末（ＰＤＡ）装置もしくは集積型情報家電を含み得る。例えば、ＵＥ装置１０２は、セル式電話バンド周波数およびワイヤレスローカルエリアネットワーク（ＷＬＡＮ）バンドの両方において動作し得、または、場合によってはＷＬＡＮバンドのみにおいて動作し得る。さらに、ＵＥ装置がワイヤレスに動作し得る別のバンドは、Ｗｉ−Ｍａｘバンド、または一つ以上の衛星バンド、またはＩＳＭバンド、または別の未認可バンドを含み得る。さらに、ネットワーク環境１００は、ＵＥ装置１０２にサービスを提供することが可能である通信空間の３つの広範なカテゴリーから構成される。ワイドエリアセルラーネットワーク（ＷＡＣＮ）空間１０４では、セル式電話サービス（パケット交換データサービスを含んでも含まなくてもよい）を提供するように動作可能である任意数の公衆陸上モバイルネットワーク（ＰＬＭＮ）が存在し得る。有効範囲およびユーザーがローミングするか否かに応じて、ＷＡＣＮ空間１０４は、複数のホームネットワーク（すなわち、ホームＰＬＭＮまたはＨＰＬＭＮ）１１０、訪問先ネットワーク（すなわち、ＶＰＬＭＮ）１１２を含み得、それぞれはホームロケーションレジスタ（ＨＬＲ）ノード１１５、モバイル交換センター（ＭＳＣ）ノード１１６などの適切なインフラストラクチャを有する。ＷＡＣＮ空間１０４はまた、モバイル通信用のグローバルシステム（ＧＳＭ）ベースのキャリアネットワークのセルラーインフラストラクチャを用いてモバイル装置にパケット無線アクセスを提供する汎用パケット無線サービス（ＧＰＲＳ）ネットワークを含み得るので、サービングＧＰＲＳサポートノード（ＳＧＳＮ）１１４およびゲートウェイＧＰＲＳサポートノード（ＧＧＳＮ）１１７はそこにおいて具現される。さらに、一般化を目的として、ＷＡＣＮ空間１０４のＰＬＭＮは、ＧＳＭ進化型高速データレート展開（ＥＤＧＥ）ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多元接続（ＣＤＭＡ）ネットワーク、ユニバーサル移動体通信システム（ＵＭＴＳ）ネットワーク、または、第３世代ネットワーク（例えば、３ＧＰＰまたは３ＧＰＰ２）からなる群から選択されたネットワークを含み得、それら全ては、周知の周波数帯域およびプロトコルにて動作する。他のワイヤレス技術は、いくつか例を挙げるとすれば、Ｗｉ−Ｍａｘ、ＷＬＡＮのネットワーク、および衛星ベースのシステムなどを含み、用いられ得る。
【００５２】
さらに、ＵＥ装置１０２は、ＷＡＣＮスペース１０４に接続されるアクセスネットワーク（ＡＮ）スペース１０６からサービスを得るように動作可能である。一つのインプリメンテーションにおいて、ＡＮスペース１０６は、一つ以上のジェネリックアクセスネットワーク（ＧＡＮ）１１８および任意のタイプのＷＬＡＮ配置１２０を含む。ＧＡＮ１１８は、以下でさらに詳細に記載されるように、ＵＥ装置１０２とブロードバンドインターネットプロトコル（ＩＰ）−ベースネットワークを用いたＰＬＭＮコアネットワークとの間のアクセスサービスを提供するように動作可能である。ＷＬＡＮ配置１２０は、アクセスポイント（ＡＰ）または「ホットスポット（ｈｏｔ  ｓｐｏｔ）」を介して、短距離ワイヤレス接続をＵＥ装置１０２に提供し、ＩＥＥＥ  ８０２．１１ｂ、ＩＥＥＥ  ８０２．１１ａ、ＩＥＥＥ  ８０２．１１ｇ、  ＨｉｐｅｒＬａｎおよびＨｉｐｅｒＬａｎ  ＩＩ規格、Ｗｉ−Ｍａｘ規格、ＯｐｅｎＡｉｒ規格、およびＢｌｕｅｔｏｏｔｈ規格などの、様々な規格を用いてインプリメントされ得る。
【００５３】
一実施形態において、ＷＡＣＮとＡＮスペースとの間においてインターフェースすることは、所定の規格に従って実施され得る。例えば、ＧＡＮ１１８は、３ＧＰＰ  ＴＲ  ４３．９０１および３ＧＰＰ  ＴＳ  ４３．３１８ドキュメントならびに関連するドキュメンテーションにおいて説明される手順を用いて、ＰＬＭＮコアとインターフェースし得る。同様に、ＷＬＡＮ１２０は、３ＧＰＰ  ＴＳ  ２３．２３４および３ＧＰＰ  ＴＳ  ２４．２３４ドキュメントならびに関連するドキュメンテーションにおいて説明される手順を用いて、ＰＬＭＮコアとインターフェースし得、それゆえ、相互作用するＷＬＡＮ（Ｉ−ＷＬＡＮ）配置として参照され得る。
【００５４】
さらに、ＵＥ装置１０２へ短距離ワイヤレス接続を提供するＷＡＣＮスペース１０４へとインターフェースしないアクセスネットワーク（ＡＮ）スペース１０８が存在し得る。例えば、ＡＮスペース１０８は、「公共の」アクセスポイント（例えば、ホテル、コーヒーショップ、本屋、アパート、教育施設など、無料または有料）を介した通信、エンタープライズアクセスポイント、および、ユーザがその企業の一員ではあり得ないが、少なくともそのサービスの一部を許可されているような、訪問先（他の企業）アクセスポイントなど、３ＧＰＰではないサービスを提供するＷＬＡＮ１２２を含み得る。
【００５５】
ＵＥ装置１０２が配置され得るネットワーク環境１００のモザイクを検討すると、ＰＬＭＮの無線アクセスネットワーク（ＲＡＮ）からＧＡＮ（すなわちハンドオーバーイン）へ、またはＧＡＮからＰＬＭＮのＲＡＮ（すなわち、ハンドオーバーアウト）へと移動すると、ユーザが通話に従事することできるように、垂直のハンドオーバーメカニズムが存在することが望ましい。  そのような機能性を容易にするとともにそれらに関連付けられる全体的ユーザ経験をカスタマイズおよび強化するために、本特許開示内容は、ネットワーク発見のスイート、およびよりカスタマイズ可能なハンドオーバコール作用が汎用ネットワーク環境１００においてシームレスに生じ得るように、１つ以上の相関およびフィルタリングスキームを含むＵＥ装置１０２を用いて動作可能である選択手順を提供する。
【００５６】
本開示内容の教示を形式化するために、図９を参照されたい。ここにおいて、図８に示される汎用ネットワーク環境１００のより具体的なサブセットであるネットワーク環境２００の例示的実施形態が示される。示されるように、ＵＥ装置１０２は、ＵＥ装置１０２にアクセス可能な１つ以上のＧＡＮとの接続性を有することに加えて、従来のＲＡＮインフラを介するアクセスを可能にするＰＬＭＮのセットを発見するために動作的に配置される。例えば、任意の種類のＷＬＡＮおよび／またはＩ−ＷＬＡＮ配置（既知または今まで知られていない）をも含むために、本特許開示内容の目的のために現在一般化されている、ＧＡＮ−１  ２０２−１からＧＡＮ−Ｎ  ２０２−Ｎまでは、ＵＥ装置によって発見されるように動作可能である。ＧＡＮ  ＡＰは、ＵＥ装置１０２に対するＶＰＬＭＮ  ２０４−１から２０４−Ｍまでとともに、ＨＰＬＭＮ（例えば、ＨＰＬＭＮ  ２０６）を含み得る１つ以上のＰＬＭＮへの接続性をサポートし得る。ＧＡＮ−ＰＬＭＮ接続性がサポートされ、特定のＧＡＮの後ろのＰＬＭＮがＵＥ装置１０２から可視である場所は、多数の商用的な要因、例えば、ＧＡＮオペレータおよびＰＬＭＮオペレータの間の契約取り決めに依存し得る。示されるように、ＧＡＮ−１  ２０２−１は、ＶＰＬＭＮ−１  ２０４−１およびＶＰＬＭＮ−２２０４−２への接続性をサポートする。同様に、ＧＡＮ−２  ２０２−１は、ＶＰＬＭＮ−Ｍ  ２０４−ＭとともにＨＰＬＭＮ  ２０６への接続性をサポートする。逆に、ＧＡＮ−Ｎ  ２０２−Ｎは、広域ＰＬＭＮへの接続性を有さない。
【００５７】
広域セルラーＰＬＭＮの各々は、各セルがセクタ（例えば、典型的には１つの基地局（ＢＳ）またはセルに対して３つの１２０°セクタ）を有する、多数のセルとして配置され得る。各個々のセルは、それらを識別するためにセルグローバル識別（ＣＧＩ）パラメータが提供される。セルの群は、ロケーションエリア（ＬＡ）として通常指定され、ＬＡ識別子（ＬＡＩ）によって識別され得る。マクロレベルにおいては、ＰＬＭＮは、基礎セルラー技術に従って識別され得る。例えば、ＧＳＭベースのＰＬＭＮは、モバイルカントリーコード（ＭＣＣ）およびモバイルネットワークコード（ＭＮＣ）から成る識別子によって識別され得る。ＣＤＭＡ／ＴＤＭＡベースのＰＬＭＮは、システム識別（ＳＩＤ）パラメータによって識別され得る。セルラーインフラに関らず、全てのセルは、サービスを得たいワイヤレス装置（例えば、ＵＥ装置１０２）がワイヤレスネットワークを識別できるように、マクロレベルＰＬＭＮ識別子をブロードキャストする。
【００５８】
図１０を参照すると、スイッチ可能コンフィギュレーションシステムの教示に従って述べられるネットワーク発見／選択手順を実行するように動作可能なＵＥ装置の一実施形態のブロック図が示される。ＵＥ１０２の一実施形態は図１０に示されるものと同様な配置を含み得るが、示される様々なモジュールに対して、ハードウェア、ソフトウェアまたはファームウェアにおける多数のバリエーションおよび修正があり得る。したがって、図１０の配置は、本特許開示内容の実施形態に対して限定されるよりむしろ例示的である。ＵＥ１０２の一実施形態の全体的制御を提供するマイクロプロセッサ１２０２は、複数のバンドに亘ってマルチモード通信を引き起こすための送信器／受信器（トランシーバ）機能性を含む通信サブシステム１２０４に動作的に結合される。例えば、広域ワイヤレスＴｘ／Ｒｘモジュール１２０６、ワイヤレスＬＡＮ  Ｔｘ／Ｒｘモジュール１２０８およびコンフィギュレーションモジュール１６が示される。ワイヤレスＬＡＮ  Ｔｘ／Ｒｘモジュール１２０８は、例示的であり、他の技術モジュールがその代わりに適合され得る。他のアプローチは、ＧＡＮ  Ｔｘ／Ｒｘ、ＷＬＡＮ  Ｔｘ／ＲｘおよびＩ−ＷＬＡＮ  Ｔｘ／Ｒｘモジュールを使用することである。更に、他の非ＷＬＡＮ  Ｔｘ／Ｒｘモジュールは、プライベートワイヤレスネットワークの他のバンドに対して含まれ得る。特定的に示されていないが、各Ｔｘ／Ｒｘモジュールは、１つ以上のローカル発振器（ＬＯ）モジュール、ＲＦスイッチ、ＲＦバンドパスフィルタ、Ａ／ＤおよびＤ／Ａ変換器、デジタル信号プロセッサ（ＤＳＰ）のような処理モジュール、ローカルメモリ等のような他の関連構成要素を含み得る。通信の分野における当業者に明らかになるように、通信サブシステム１２０４の特定設計は、ＵＥ装置が動作することを意図する通信ネットワークに依存し得る。一実施形態においては、スイッチ可能コンフィギュレーションシステム１０は、通信サブシステム１２０４として実施され得る。
【００５９】
マイクロプロセッサ１２０２は、補助的出／入力部（Ｉ／Ｏ）１２１８、シリアルポート１２２０、ディスプレイ１２２２、キーボード１２２４、スピーカ１２２６、マイクロフォン１２２８、ランダムアクセスメモリ（ＲＡＭ）１２３０、短距離通信サブシステム１２３２、および、全体を通して参照番号１２３３と示される任意の他のデバイスサブシステムのような更なるデバイスサブシステムともインターフェース接続される。アクセスを制御するために、加入者ＩＤモジュール（ＳＩＭ）または取り外し可能ユーザＩＤモジュール（ＲＵＩＭ）インターフェース１２３４もまた、マイクロプロセッサ１２０２との通信において提供される。一実施形態において、ＳＩＭ／ＲＵＩＭインターフェース１２３４は、１つ以上のＳＳＩＤ／ＰＬＭＮリストおよびフィルタに加え、ＩＤおよび加入者に関するデータのような、多数の重要なコンフィギュレーション１２４４および他の情報１２４６と共に動作可能である。他のインターフェースは、アクセスを制御するために用いられ得、ユニバーサル加入者ＩＤモジュール（ＵＳＩＭ）、ＩＭＳ  ＳＩＭ（ＩＳＩＭ）（ここにおいて、ＩＭＳは、ＩＭマルチメディアサブシステムである）、およびＣＤＭＡにて用いられる取り外し可能なユーザＩＤモジュール（ＲＵＩＭ）を含む。一部のセルラーデバイスにおいて、加入情報は、取り外し可能なデバイスに含まれるのではなく、むしろ、デバイスメモリにて安全に記憶される。
【００６０】
オペレーティングシステムソフトウェアおよび他の制御ソフトウェアは、フラッシュメモリ１２３５のような持続性のあるストレージモジュール（つまり、不揮発性ストレージ）にて実施され得る。一つの実施において、フラッシュメモリ１２３５は、異なった場所に分離され得る。ここにおいて、異なった場所とは、例えば、装置状態１２３７、アドレス帳１２３９、他の個人情報管理（ＰＩＭ）データ１２４１、および、全体を通して参照番号１２４３と示される他のデータストレージ場所のようなデータストレージ場所に加え、コンピュータプログラム１２３６のためのストレージ場所である。さらに、適切なネットワーク発見／選択ロジック１２４０は、多様な手順、相関技術、および前セクションにて表されたＧＡＮＣ選択機構を実施するための持続性のあるストレージの一部分として提供され得る。それらの関連するものは、ＳＳＩＤ／ＰＬＭＮリスト、選択／走査フィルタ、性能インジケータ等を記憶するためのストレージモジュール１２３８である。
【００６１】
コンフィギュレーション選好は、ハンドセットコントロールにて記憶され得、したがって、セルラーおよびプライベートワイヤレスネットワーク、セルラー−ＧＡＮ，セルラー−Ｉ−ＷＬＡＮのような多様なモードにそれを合わせる。さらに、ハンドセットは、一日の時間またはその日の場所によって変わる選好されるコンフィギュレーションを有するように合わされ得る。
【００６２】
３ＧＰＰおよびＧＡＮ−可能デュアルモードＵＥを用い、ユーザ経験が改良され得る多数の方法が存在する。それに続く記載は、特定のシナリオの最適化の提供の観点を以って、その特定のシナリオの一部を例示する非網羅的な概要を提供し、特に、（ｉ）迅速な選択および取得、および、（ｉｉ）自分がどこに居るのかを知っているユーザがＧＡＮを選択し、取得することを可能にすること、の観点から提供される。この例示がセルラーおよびＧＡＮに合わされる一方、異なったコンフィギュレーションに対する他の例示もまた実施され得る。
【００６３】
Ｉ．ケースシナリオＡを用いる：家にてハンドセット（つまり、ＵＥ）をオンにする
このケースシナリオを用いる際、ユーザは、朝に家のハンドセットをオンにする。３ＧＰＰ  ＷＡＣＮ（セルラー）信号に対する確認は必要でない。デバイスの始動の特別な設定は、提供される。その始動を時間設定に合わせることも可能であり、それによって、時間ウィンドウ内の始動が、「家での」始動とみなされる。他の場合においては、３ＧＰＰ  ＷＡＣＮ信号に対する基本的な確認が、先ず行われ得る。確認は、＜ｈｏｍｅ  ＡＰ＞に対して、または、ユーザがエンターした場合は、＜ｈｏｍｅ  ＡＰ＞および近くのＡＰ対して為される。存在しない場合、次いで、３ＧＰＰ（セルラー）が使用される。
【００６４】
ＩＩ．ケースシナリオＢを用いる：家に戻る
このケースシナリオを用いる際、ユーザコントロールは、＜ｈｏｍｅ  ＡＰ＞に対するＵＥ確認を容易かつ迅速にするように提供される。ユーザは、これを、家に戻った際に使用し得る。＜ｈｏｍｅ  ＡＰ＞がない場合、３ＧＰＰ（セルラー）が使用される。
【００６５】
ＩＩＩ．ケースシナリオＣを用いる：家関係
このケースシナリオの使用は、所定の＜ｄａｔｅ：ｔｉｍｅ＞設定まで有効であるトラベル設定（つまり、ローミング）を伴う。ローカルＧＡＮ／ＷＬＡＮに対する確認をすべきが否か、およびどの特定のものを確認するのかが示される。ウィークリーまたはその他等の繰り返しにスケジュールすることも示される。
【００６６】
ＩＶ．ケースシナリオＤを用いる：特定の位置
このケースシナリオの使用は、繰り返しの訪問を伴う。職場にて、ユーザは＜ｗｏｒｋ  ＡＰ＞を記憶させ得る。＜ｗｏｒｋ  ＡＰ＞に対するハンドセットの容易かつ迅速な確認をするユーザコントロールが提供される。喫茶店／パン屋にて、ユーザは、＜ｃｏｆｆｅｅ  ｓｈｏｐ  ＡＰ＞を記憶させ得る。＜ｃｏｆｆｅｅ  ｓｈｏｐ  ＡＰ＞に対するハンドセットの容易かつ迅速な確認をするユーザコントロールが提供される。一時的な訪問に対し、例えば、ホテルＸＹＺにて、ユーザは、＜ｈｏｔｅｌ  ｘｙｚ  ＡＰ＞を記憶させ得る。＜ｈｏｔｅｌ  ＡＰ＞に対するハンドセットの容易かつ迅速な確認をするユーザコントロールが提供される。ＧＡＮ／Ｉ−ＷＬＡＮは、移動中のものであり得（例えば、航空機内）、複数のＰＬＭＮと関連し得、または関連し得ない。航空機内にてセルラーマイクロセルがあり得るが、それは、［ＭＣＣ，ＭＮＣ］のような組み合わせを含む、一部のマナーにて識別され得る。
【００６７】
Ｖ．ケースシナリオＥを用いる：位置情報を用いる
多数のソースからの位置情報は、ＵＥデバイスをユーザのパターンに合わせるのに用いられ得る。情報ソースは、ＬＡＩ／ＣＧＩ、ＨＰＬＭＮ、選好であるか否か、または禁止されているか否かに関わらず、ＰＬＭＮ、Ａｓｓｉｓｔｅｄ  Ｇｌｏｂａｌ  Ｐｏｓｉｔｉｏｎｉｎｇ  Ｓｙｓｔｅｍ（ＡＧＰＳ）または他のノンセルラーバンド位置システム、および、Ｍａｎｕａｌ入力を含む。
【００６８】
ＶＩ．ケースシナリオＥを用いる：システム選択の合わせ
位置は、動作のモードを合わせるために、それぞれ用いられ得る。実施例は、＜ｈｏｍｅ  ＡＰ＞（規定されたモード、例えば、ＧＡＮ）に接続されるもの、＜ｗｏｒｋ  ＡＰ＞（規定されたモード、例えば、ＧＡＮ）に接続されたもの、＜［ｏｔｈｅｒ］ＡＰ＞に接続されたもの等を含む。さらに、接続性情報は、特別な場合において、緊急サービスにおける位置情報を提供するために特別に用いられ得る。情報の完全なる利用は、公共の安全回答ポイントまたはＰＳＡＰ（例えば、９１１急送センター、地域の消防署または警察、救急車サービス、または、複数のサービスを網羅する地域的オフィス）に提供された情報の追加または変更を要し得る。さらに、さらなる修正が、ＰＳＡＰとオペレータ（ＰＬＭＮ）との間におけるインターフェースおよび間にて交わされるメッセージに、およびＰＳＡＰ自体に、必要とされ得もする。情報は、ＡＰが位置するアドレスの形であり得、信号の強さおよび潜在的に「あふれた（ｓｐｉｌｌ−ｏｖｅｒ）」有効範囲の印と共に、階数、部屋番号、および部屋の位置の記載を含む。
【００６９】
本特許開示内容に従うシステムおよび方法は、上述の機能を有する任意のハードウェア、ソフトウェアまたはハードウェアとソフトウェアの組み合わせによって実施され得る。ソフトウェアコード、その全てまたは一部分のどちらかは、コンピュータ読取可能メモリに格納され得る。更に、キャリア波に組み込まれ得るソフトウェアコードを表すコンピュータデータ信号は、通信ネットワークを介して送信され得る。そのようなコンピュータ読取可能メモリおよびコンピュータデータ信号も、本特許開示内容とともに、ハードウェア、ソフトウェアおよびそれらの組み合わせの範囲内にある。
【００７０】
本特許開示内容の特定の実施形態が示されおよび説明される一方、変更および修正が、本特許開示内容の真の範囲から逸脱せずにそのような実施形態に行われ得る。
【００７１】
プライベートワイヤレスネットワークモードとセルラーモードとの間においてハンドセットをスイッチ可能に構成するためのスイッチ可能コンフィギュレーションシステムおよび方法が提供される。スイッチ可能コンフィギュレーションシステムは、ハンドセットをセルラーモードで動作させるように適合されたセルラーモジュールと、ハンドセットをプライベートワイヤレスネットワークモードで動作させるように適合されたプライベートワイヤレスネットワークモジュールと、ハンドセットをどのモードに構成するかを決定するように適合されたコンフィギュレーションモジュールとを含む。方法は、プライベートワイヤレスネットワーク有効範囲が利用可能であるか否かを決定するステップと、プライベートワイヤレスネットワーク有効範囲が利用可能であるという決定に応答して、プライベートワイヤレスネットワークモードを選択するステップと、プライベートワイヤレスネットワーク有効範囲が利用可能でないという決定に応答して、セルラーモードを選択するステップと含む。
【００７２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００７３】
【図１】本特許開示内容の一実施形態に従って、プライベートワイヤレスネットワークおよびセルラーモードの間にハンドセットをスイッチ可能に構成するためのスイッチ可能コンフィギュレーションシステムの実施例を示す。
【図２】スイッチ可能コンフィギュレーションシステムの一実施形態に従って、プライベートワイヤレスネットワークおよびセルラーモードの間にハンドセットをスイッチ可能に構成する方法の実施例をフローチャートにおいて示す。
【図３】スイッチ可能コンフィギュレーションシステムの一実施形態に従って、セルラーエンタープライズハンドセットをどのモードに構成するかを決定するためのコンフィギュレーションモジュールの実施例を機能的ブロック図において示す。
【図４】スイッチ可能コンフィギュレーションシステムの一実施形態に従って、ハンドセットの２つのコンフィギュレーションを示す。
【図５】スイッチ可能コンフィギュレーションシステムの一実施形態に従って、プライベートワイヤレスネットワーク有効範囲サイクルの復元および損失を示す。
【図６】スイッチ可能コンフィギュレーションシステムの一実施形態に従って、プライベートワイヤレスネットワークおよびセルラーモードの間にハンドセットをスイッチ可能に構成する方法の他の実施例をフローチャートにおいて示す。
【図７】スイッチ可能コンフィギュレーションシステムの一実施形態に従って、デュアルネットワーク環境の実施例を示す。
【図８】スイッチ可能コンフィギュレーションシステムの一実施形態が実施され得る、汎用ネットワーク環境を示す。
【図９】スイッチ可能コンフィギュレーションシステムの教示に従って、ユーザ装備装置がネットワーク発見および選択のために動作可能に配置されるネットワーク環境の例示的な一実施形態を示す。
【図１０】スイッチ可能コンフィギュレーションシステムの教示に従って述べられるネットワーク発見／選択手順を実行するように動作可能なユーザ装備装置の一実施形態のブロック図が示す。
【符号の説明】
【００７４】
１０  スイッチ可能コンフィギュレーションシステム
１２  セルラーモジュール
１４  プライベートワイヤレスネットワークモジュール
１６  コンフィギュレーションモジュール
【図１】
2007110719.tif 000003
【図２】
2007110719.tif 000004
【図３】
2007110719.tif 000005
【図４】
2007110719.tif 000006
【図５】
2007110719.tif 000007
【図６】
2007110719.tif 000008
【図７】
2007110719.tif 000009
【図８】
2007110719.tif 000010
【図９】
2007110719.tif 000011
【図１０】
2007110719.tif 000012